(57)【要約】【課題】装着しても目立つことのないフェースアップ用器具を提供する。【解決手段】フェースアップ用器具７０は、頭髪に挿して着用者の頭部に装着される櫛部７２と、この櫛部７２の長手方向の両端部から延出させた伸縮自在な弾性帯片７４ａ,７４ａと、この弾性帯片７４ａ,７４ａに着脱自在に設けられて、片面に粘着面２８を有する貼着片１６,１６とから構成される。そして、櫛部７２を頭部に装着し、弾性帯片７４ａ,７４を弾力に抗して伸張させた状態で貼着片１６,１６を顔面の所要部位に貼着させる。これにより、貼着片１６,１６は弾性帯片７４ａ,７４ａの弾性力によって後頭部側へ引っ張られ、顔面の皺やたるみ等の弛緩部位が引き伸ばされる。【選択図】図１
2006314408.tif 000002
【特許請求の範囲】
【請求項１】
頭髪に挿して着用者の頭部に装着される櫛部(12,42,54,72)と、
前記櫛部(12,42,54,72)の長手方向の両端部から延出させた伸縮自在な弾性帯片(14,58,74a)と、
前記弾性帯片(14,58,74a)に着脱自在に設けられ、片面に粘着面(28)を有する貼着片(16)とからなり、
前記櫛部(12,42,54,72)を頭部に装着して、前記弾性帯片(14,58,74a)を弾力に抗して伸張させた状態下に前記貼着片(16)を顔面の所要部位に貼着させ、次いで弾性帯片(14,58,74a)を弾力復帰させることで、顔面の弛緩部位を引き上げて伸ばすようにした
ことを特徴とするフェースアップ用器具。
【請求項２】
前記貼着片(16)は、前記弾性帯片(14,58,74a)に取付けられる基片(26)と、該基片(26)の片面に設けた粘着面(28)と、該粘着面(28)に剥離自在に設けた剥離片(38)とからなる請求項１記載のフェースアップ用器具。
【請求項３】
前記粘着面(28)は、前記基片(26)の片面に貼付けた両面テープにより設けられる請求項２記載のフェースアップ用器具。
【請求項４】
前記櫛部(72)は、線材をジグザグ状に折曲させて複数の櫛歯(76)を連続的に設けることで伸縮性が与えられ、該櫛部(72)の基部(78)に沿って長手方向に伸縮可能な弾性帯(74)が取付けられている請求項１〜３の何れかに記載のフェースアップ用器具。
【請求項５】
前記櫛部(12,42)は、後頭部付近から両側頭部にかけて装着される略Ｕ字形をなす線状フレーム(18,44)と、該線状フレーム(18,44)の略全体に亘って設けられる櫛歯(20,48)とからなり、前記弾性帯片(14)が該線状フレーム(18,44)の両端部に取付けられる請求項１〜３の何れかに記載のフェースアップ用器具。
【請求項６】
前記櫛部(54)は、後頭部付近に装着される円弧状フレーム(56)と、該円弧状フレーム(56)の略全体に亘って設けられる櫛歯(20)とからなり、前記弾性帯片(58)は、前記円弧状フレーム(56)に沿って固定された飾り部(62)の両端に一体的に形成されて該櫛部(54)の両端から延出している請求項１〜３の何れかに記載のフェースアップ用器具。
【請求項７】
前記櫛部(12,42,72)に、前記弾性帯片(14,74a)および貼着片(16)を覆い隠す人工毛(32)が着脱自在に取付けられる請求項１〜５の何れかに記載のフェースアップ用器具。
【発明の詳細な説明】
【技術分野】
【０００１】
この発明は、顔面の皮膚を引っ張り上げることで、皺やたるみ等を目立たなくするフェースアップ用器具に関するものである。
【背景技術】
【０００２】
顔面の皮膚を引き伸ばして皺やたるみ等を目立たなくするフェースアップ用器具として、例えば特許文献１に、顔のこめかみ辺りに摩擦係数の大きいストッパー部を当接させて、該ストッパー部を合金のヘアバンドによって後方へ引っ張るようにしたものが示されている。また特許文献２には、粘着シート片の一端部をこめかみに接着し、該シート片の他端部を頭部に装着したベルトによって後方へ引っ張ることで顔面の皺・たるみを引き伸ばすようにしたフェースアップ用器具が示されている。
【特許文献１】特開２００３−３３９４２３号公報
【特許文献２】登録実用新案第３０４３５１７号公報
【発明の開示】
【発明が解決しようとする課題】
【０００３】
しかしながら、特許文献１のフェースアップ用器具は、使用時に、合金からなるヘアバンドが目立ってしまい、他人にフェースアップ用器具の使用を気付かれてしまう難点がある。同様に、特許文献２のフェースアップ用器具についても、頭部に装着したベルトが不自然で目立ってしまうため、フェースアップ用器具を使用したまま外出したり、人と会ったりするのは困難であった。このため、ヘアバンドやベルトをカツラ等で覆い隠して目立たなくする提案がなされてはいるが、何れの場合も完全にこれらを隠しきれるものではない。更に、これらヘアバンド等を頭部に装着することで頭髪が押さえつけられてしまい、使用者のヘアースタイルが崩れてしまう問題も生じていた。
【０００４】
本発明は、従来のフェースアップ用器具に内在する前記問題に鑑み、これらを好適に解決するべく提案されたものであって、装着時であっても他人に気づかれにくいフェースアップ用器具を提供することを目的とする。
【課題を解決するための手段】
【０００５】
前記課題を克服し、所期の目的を達成するため、請求項１に係るフェースアップ用器具は、
頭髪に挿して着用者の頭部に装着される櫛部と、
前記櫛部の長手方向の両端部から延出させた伸縮自在な弾性帯片と、
前記弾性帯片に着脱自在に設けられ、片面に粘着面を有する貼着片とからなり、
前記櫛部を頭部に装着して、前記弾性帯片を弾力に抗して伸張させた状態下に前記貼着片を顔面の所要部位に貼着させ、次いで弾性帯片を弾力復帰させることで、顔面の弛緩部位を引き上げて伸ばすようにしたにしたことを特徴とする。
【０００６】
請求項１によれば、櫛部は、カチューシャや髪留めの如く頭髪に挿して頭部に装着されるので、フェースアップ用器具の使用を他人に気付かれにくくなる。従って、フェースアップ用器具を使用したまま外出したり、人と会ったりすることが可能となる。また、櫛部は頭髪に挿して頭部に取付けられるので、従来の如く、フェースアップ用器具を装着することで頭髪が押さえつけられてヘアースタイルが崩れることもない。
【０００７】
また、前記貼着片は弾性帯片に着脱自在に取付けられるので、該貼着片が汚れたり、古くなったりした際に交換することができる。更に、顔面に貼付けた貼着片は弾性帯片が弾性復帰することで後方へ引っ張られるので、顔面の皺やたるみ等の弛緩部位を確実に引き伸ばすことが可能となる。
【０００８】
請求項２に係るフェースアップ用器具は、前記貼着片を、前記弾性帯片に取付けられる基片と、該基片の片面に設けた粘着面と、該粘着面に剥離自在に設けた剥離片とから構成した。
【０００９】
請求項２によれば、貼着片の粘着面には剥離片が剥離自在に設けられるので、不使用時に剥離片が粘着面を保護し、粘着面の粘着力が低下するのを防止し得る。
【００１０】
請求項３に係るフェースアップ用器具は、前記粘着面は、前記基片の片面に貼付けた両面テープにより設けられる。
【００１１】
請求項３によれば、粘着面は両面テープによって形成されるので、両面テープの粘着力が低下した場合には、該両面テープのみを交換して基片を取替える必要がないので経済的である。
【００１２】
請求項４に係るフェースアップ用器具は、前記櫛部に、線材をジグザグ状に折曲させて複数の櫛歯を連続的に設けることで伸縮性が与えられ、該櫛部の基部に沿って長手方向に伸縮可能な弾性帯が取付けられる。
【００１３】
請求項４によれば、櫛部がカチューシャの如き形状をなしているので、フェースアップ用器具の使用時に違和感が生じない。また、櫛部は伸縮性を有しているので、使用者の頭部の形状に合わせて確実に装着することが可能となる。更に、貼着片は、弾性帯片,弾性帯および櫛部の弾力によって引っ張られるので、顔面の弛緩部位を確実に引き伸ばすことができる。
【００１４】
請求項５に係るフェースアップ用器具は、前記櫛部を、後頭部付近から両側頭部にかけて装着される略Ｕ字形をなす線状フレームと、該線状フレームの略全体に亘って設けられる櫛歯とから構成し、前記弾性帯片が該線状フレームの両端部に取付けられるようになっている。
【００１５】
請求項５によれば、櫛部がカチューシャの如き形状をなしているので、フェースアップ用器具の使用を他人に気付かれにくくなる。
【００１６】
請求項６に係るフェースアップ用器具は、前記櫛部を、後頭部付近に装着される円弧状フレームと、該円弧状フレームの略全体に亘って設けられる櫛歯とから構成し、前記弾性帯片は、前記円弧状フレームに沿って固定された飾り部の両端に一体的に形成されて該櫛部の両端から延出するようにした。
【００１７】
請求項６によれば、櫛部が髪留めの如き形状をなしているので、フェースアップ用器具の使用を他人に気付かれにくくなる。
【００１８】
請求項７に係るフェースアップ用器具は、前記櫛部に、前記弾性帯片および貼着片を覆い隠す人工毛を着脱自在に取付けた。
【００１９】
請求項７によれば、人工毛によって弾性帯片や貼着片が隠されて目立つことがない。また、使用者の髪型によっては人工毛がなくても弾性帯片や貼着片が隠れる場合があるので、必要な場合にのみ人工毛を使用すればよい。また、各種の色や形状の人工毛を用意すれば、使用者の好み等に合わせて人工毛を使用することが可能となる。
【発明の効果】
【００２０】
本発明に係るフェースアップ用器具によれば、櫛部は頭髪に挿して頭部に装着されるので、該櫛部が目立つことがない。従って、他人にフェースアップ用器具の使用を気付かれにくくなり、該フェースアップ用器具を装着したまま外出したり、人に会ったりすることが可能となる。
【発明を実施するための最良の形態】
【００２１】
次に、本発明に係るフェースアップ用器具につき、好適な実施例を挙げて、添付図面を参照して説明する。
【実施例１】
【００２２】
図１は、実施例１に係るフェースアップ用器具７０を示す正面図である。このフェースアップ用器具７０は、頭髪に挿して頭部に装着される櫛部７２と、該櫛部７２の両端部から延出する弾性帯片７４ａ,７４ａと、両弾性帯片７４ａ,７４ａに着脱自在に設けられる貼着片１６,１６とから基本的に構成されて、顔面の皺やたるみ等の弛緩部位を引き伸ばす際に供されるものである。
【００２３】
前記櫛部７２は、図２(ａ)に示すように、針金等の金属からなる可撓性の線材をジグザグ状に折曲させて複数の櫛歯７６が連続的に設けられたものであって、図３(ａ)および(ｂ)に示すように、長さ方向(周方向)へ伸縮自在に構成されて所要の弾力を有している。また、図１に示すように、この櫛部７２は、カチューシャの如く全体として略Ｕ字状に形成され、使用時に周方向へ伸張させた状態で頭部に装着されるようになっている。
【００２４】
また櫛部７２の基部７８(櫛部７２における櫛歯７６の先端部と対向する部位)に沿って、長手方向への伸縮性を備えたゴムレース(弾性帯)７４が取付けられている。このゴムレース７４は、図２(ｂ)に示すように、一定の間隔毎に上下の櫛歯７６の間に介在することで該櫛歯７６に係止して、櫛部７２の基部７８に設けられるようになっている。そして、このゴムレース７４における櫛部７２の両端部から延出する部位が弾性帯片７４ａ,７４ａを構成している。なお、このゴムレース７４の代わりにゴムテープ等の伸縮性を備えた部材を採用することも可能である。
【００２５】
前記弾性帯片７４ａに着脱自在に取付けられる貼着片１６は、図４(ａ)および(ｂ)に示すように、基片２６と、該基片２６の片面に設けた粘着面２８と、該粘着面２８に剥離自在に設けた剥離片３８とから構成され、顔面のこめかみ等の所要部位に貼着されるようになっている。略台形状に形成された基片２６は、前記弾性帯片７４ａに引っ張られた際に破れないよう所要の強度を備えた、例えば、透明の合成樹脂等から形成されている。また、この基片２６の片面に設けられた粘着面２８は、使用時に顔面の所要部位に貼り付けられるものであって、実施例１においては、基片２６の片面に貼り付けられた両面テープによって粘着面２８が形成されている。この両面テープ２８としては、例えば、厚さ０．１ｍｍ程度の透明な医療用テープが好適に使用される。この医療用テープは、汗や皮脂等によっても粘着力が落ちることがなく、また、皮膚への刺激が弱いので使用によってかぶれたりすることもない。
【００２６】
基片２６および両面テープ２８の夫々には、中央部より上方へ僅かに偏倚した位置に孔部２６ａ,２８ａが開設され、前記弾性帯片７４ａの挿通を許容し得るようになっている。すなわち、弾性帯片７４ａの端部を両孔部２６ａ,２８ａを介して挿通し、図５(ａ)および(ｂ)に示すように、端部を折り返して櫛歯７６に弾性帯片７４ａの織り目に挿して係合させることで、貼着片１６は弾性帯片７４ａに着脱自在に取付けられる。
【００２７】
剥離片３８は、例えば、透明のテープ等から構成されて、両面テープ２８の略半分を覆うように剥離自在に貼り付けられ、不使用時の両面テープ２８を保護するようになっている。すなわち、フェースアップ用器具７０の不使用時には、剥離片３８を両面テープ２８に貼り付けておくことで、該テープ２８に埃等が付着して粘着力が低下するのを防止し得るようになっている。
【００２８】
なお、実施例１に係る貼着片１６の大きさは、高さ２．５ｃｍ、最大幅３．０ｃｍに設定されている。しかしながら、貼着片１６の形状・大きさ等については、実施例１に限定されず、適宜変更可能である。また、実施例１では、粘着面を両面テープ２８で形成した場合を示したが、例えば、基片２６の片面に粘着材を塗布して粘着面を形成してもよい。
【００２９】
(実施例１の作用)
次に、実施例１に係るフェースアップ用器具７０の作用について説明する。貼着片１６を弾性帯片７４ａに取付ける際には、貼着片１６の両孔部２６ａ,２８ａに弾性帯片７４ａの端部を挿通し、該端部を折り返して櫛歯７６に係合させる。
【００３０】
次に、フェースアップ用器具７０を装着する際には、前記櫛部７２を頭頂部のやや後方部に当接させ、両弾性帯片７４ａ,７４ａを引っ張ることで櫛部７２全体を伸張させた状態で後頭部から両側頭部に掛けて取付ける。この時、前記櫛歯７６が使用者の頭髪に係止するので、櫛部７２は頭部に確実に固定される。また、櫛部７８は使用者の頭部の形状に合わせてしっかりとフィットし、好適な使用感が得られる。
【００３１】
次に、剥離片３８を両面テープ２８から剥がして、図６に示すように、前記弾性帯片７４ａを弾力に抗して伸張させた状態で、貼着片１６の両面テープ２８を使用者の所要部位に貼着し、フェースアップ用器具の装着が完了する。この時、前記弾性帯片７４ａ,弾性帯７４および櫛部７２が弾性復帰して貼着片１６が後頭部側へ引っ張られる。すなわち、貼着片１６の両面テープ２８と張り付いた皮膚が後頭部側へ引っ張られるので、目尻や頬等の皺・たるみ(弛緩部位)が引き伸ばされ、顔にツヤ・張りを持たせることが可能となる。しかも、前記櫛部７２はカチューシャの如く頭部に固定され、弾性帯片７４ａや貼着片１６は使用者の頭髪に覆われて隠されるので、フェースアップ用器具７０の存在を他人に気付かれにくくなる。
【００３２】
以上に示したように、実施例１に係るフェースアップ用器具７０は、櫛部７２をカチューシャの如き形状としたので、該櫛部７２を頭部に装着しても違和感がなく、フェースアップ用器具７０の使用を他人に気付かれにくくなる。従って、フェースアップ用器具７０を装着したまま外出したり、人と会ったりすることが可能となる。また、櫛歯７６が頭髪に係止することで固定されるので頭髪がまとまった状態となって、従来の如くフェースアップ用器具７０を装着することでヘアースタイルが崩れることもない。更に、前記貼着片１６は弾性帯片７４ａに着脱自在に取付けられるので、該貼着片１６が汚れたり、古くなったりした際に交換することができる。
【００３３】
また、貼着片１６は、基片２６、両面テープ２８および剥離片３８とから構成されているので、両面テープ２８の粘着力が低下した際には、該テープ２８のみを交換すればよく、基片２６を取り替える必要がないので経済的である。更に、両面テープ２８として医療用テープを使用したので、該テープ２８を貼り付けた際に皮膚がかぶれたりすることがなく、はがす際に痛みも生じない。
【００３４】
実施例１に係るフェースアップ用器具７０は、櫛部７２が周方向へ伸縮して所要の弾力性を備えているので、使用者の頭部にあわせてフィットする。しかも、貼着片１６は櫛部７２の弾力によっても引っ張られるので、顔面の皮膚を確実に引き伸ばすことが可能となる。
【実施例２】
【００３５】
次に、実施例２に係るフェースアップ用器具の説明を行なう。なお、実施例２では、実施例１との相違点のみを説明し、同一の部材については同じ符号を付して説明を省略する。
【００３６】
図７は、実施例２に係るフェースアップ用器具１０を示す正面図である。このフェースアップ用器具１０は、頭髪に挿して頭部に装着される櫛部１２と、該櫛部１２の両端部に取付けられた弾性帯片１４,１４と、両弾性帯片１４,１４に着脱自在に設けられる貼着片１６,１６とから基本的に構成されている。
【００３７】
前記櫛部１２は、略Ｕ字状に形成されて頭頂部のやや後方(後頭部付近)から両側頭部にかけて装着される線状フレーム１８と、該線状フレーム１８の全体に亘って設けられる櫛歯２０からなり、カチューシャの如き形状をなしている。線状フレーム１８は、針金等の金属またはプラスチックをＵ字状に形成したものであって、頭部に装着した際に変形して、僅かな力で該頭部を挟持するよう可撓性を備えている。また、線状フレーム１８の両端部は、夫々、外方へ折曲げられた折返し部１８ａ,１８ａが形成され、該折返し部１８ａ,１８ａに弾性帯片１４,１４が取付けられるようになっている。
【００３８】
櫛歯２０は、図８の側面図に示すように、針金等の金属を環状に折曲成形したものであって、前記線状フレーム１８の全体に亘って所定間隔で設けられている。そして、この櫛歯２０が頭髪に係止することで、櫛部１２が頭部に確実に固定されるようになっている。なお、線状フレーム１８に、レースやビーズ等、各種の装飾を施して、フェースアップ用器具１０の美観を向上させるようにしてもよい。
【００３９】
前記櫛部１２の長手方向の両端部に取付けられる弾性帯片１４,１４は、図９に示すように、例えば、所要長さのゴム３４をバイヤス布３６で包んだもので形成される。そして、図１０に示すように、弾性帯片１４の一方の端部１４ａを折返し部１８ａの外側から櫛歯２０の間に挿通し、該端部１４ａを下方へ折り返して弾性帯片１４の所要位置で縫着することで、弾性帯片１４は櫛部１２に取付けられるようになっている。また、図１１に示すように、弾性帯片１４の他方の端部１４ｂにカギ状部２４が設けられ、該カギ状部２４は弾性帯片１４の所要位置に設けられたフック部２２に係合するよう構成される。
【００４０】
図１２(ｂ)に示すように、弾性帯片１４は、使用時に伸張状態で頭頂部から両側頭部に掛けて装着され、その弾力によって後述の貼着片１６を後頭部側へ引っ張るようになっている。なお、弾性帯片１４としては、実施例２の如く、ゴム３４をバイヤス布３６で包んだ構成に限定される訳でなく、ゴム３４のみを単体で用いたり、バイヤス布３６の代わりにレース等を使用してもよい。
【００４１】
貼着片１６を弾性帯片１４に取付ける際には、図１０(ａ)に示すように、弾性帯片１４の端部１４ｂを基片２６側から両孔部２６ａ,２８ａを介して挿通し、図１０(ｂ)に示すように、端部１４ｂを折り返してカギ状部２４をフック部２２に係合させることで、貼着片１６は弾性帯片１４に着脱自在に取付けられるよう構成される。この時、両貼着片１６,１６は、夫々の粘着面(両面テープ)２８,２８が内側を向いて対向するようにして弾性帯片１４,１４に取付けられる。但し、貼着片１６を弾性帯片１４に取付ける構造については、実施例に限定されず、他の構造を採用してもよい。
【００４２】
(実施例２の作用)
次に、実施例２に係るフェースアップ用器具１０の作用について説明する。貼着片１６を弾性帯片１４に取付ける際には、貼着片１６の両孔部２６ａ,２８ａに弾性帯片１４の端部１４ｂを挿通し(図１０(ａ))、該端部１４ｂを折り返して、カギ状部２４をフック部２２に係合させる。
【００４３】
次に、フェースアップ用器具１０を装着する際には、図１２(ａ)に示すように、前記櫛部１２を頭頂部のやや後方から両側頭部に掛けて装着する。この時、前記櫛部１２の櫛歯２０が頭髪に係止して、フェースアップ用器具１０は頭部に確実に固定される。また、線状フレーム１８は使用者の頭部の形状に合わせて撓むので、頭部にしっかりとフィットして好適な使用感が得られる。
【００４４】
次に、剥離片３８を両面テープ２８から剥がし、図１２(ｂ)に示すように、前記弾性帯片１４を弾力に抗して伸張させた状態で、貼着片１６の両面テープ２８を使用者の所要部位に貼着し、フェースアップ用器具１０の装着が完了する。この時、前記弾性帯片１４が弾性復帰して貼着片１６が後頭部側へ引っ張られる。すなわち、図１３に示すように、貼着片１６の両面テープ２８と張り付いた皮膚が後頭部側へ引っ張られるので、目尻や頬等の皺・たるみ(弛緩部位)が引き伸ばされ、顔にツヤ・張りを持たせることが可能となる。しかも、前記櫛部１２はカチューシャの如く頭部に固定され、弾性帯片１４や貼着片１６は頭髪に覆われて隠されるので、フェースアップ用器具１０の使用を他人に気付かれにくくなる。
【００４５】
以上に示したように、実施例２に係るフェースアップ用器具１０は、櫛部１２を、後頭部付近から両側頭部にかけて装着される線状フレーム１８と、該線状フレーム１８の略全体に亘って設けられた櫛歯２０とから構成してカチューシャの如き形状としたので、該櫛部１２を頭部に装着しても違和感がなく、フェースアップ用器具１０の使用を他人に気付かれにくくなる。
【００４６】
(実施例２の変更例)
図１４は、実施例２の変更例に係るフェースアップ用器具１０を装着した状態を示すものである。このフェースアップ用器具１０は、線状フレーム１８の折返し部１８ａに、弾性帯片１４および貼着片１６を覆い隠す人工毛３２が取付けられている。この人工毛３２は、頭髪に似せた人工の毛を束ねたものであって、前記線状フレーム１８に着脱自在に取付けられる。すなわち、使用者の髪型等によっては、弾性帯片１４や貼着片１６が自毛で完全に隠されない場合があるので、この人工毛３２を取付けることでこれらを覆い隠すことが可能となる。なお、人工毛３２の量や、色等は、使用者の頭髪に合わせて変更すればよい。また、人工毛３２として、使用者本人の毛髪を使用することも可能である。更に、この人工毛３２は、実施例１におけるフェースアップ用器具７０の櫛部７２に取付けて使用することもできる。
【実施例３】
【００４７】
次に、実施例３に係るフェースアップ用器具について説明する。実施例３では、実施例１および２との変更点のみを説明し、同一の部材については同じ符号を付して説明を省略する。
【００４８】
図１５は、実施例３に係るフェースアップ用器具４０を示す正面図である。このフェースアップ用器具４０は、櫛部４２の線状フレーム４４を使用者の頭部に合わせてその形状を変形し得るようになっている。すなわち、実施例３に係るフェースアップ用器具４０は、使用者の頭部の形状に合わせて線状フレーム４４を変形させることができるので、フェースアップ用器具４０を頭部にしっかりとフィットさせることが可能となる。また、この線状フレーム４４の全体はレース４６によって装飾されており、フェースアップ用器具４０の美観を向上させるようになっている。なお、線状フレーム４４の装飾に関しては、レース４６に限らず、ビーズやダイヤブレード等の装飾部材を使用してもよい。また、実施例３の場合についても、実施例１および２と同様、櫛部４２に人工毛３２を取付けることが可能である。
【００４９】
また、線状フレーム４４の両端は、夫々内側へ折曲げられ、その折曲げた部位に弾性帯片１４が着脱自在に取付けられるようになっている。更に、線状フレーム４４に設けられる櫛歯４８は、実施例２の櫛歯２０の如く針金を環状にしたものではなく、波形にした針金片が使用されている。
【実施例４】
【００５０】
次に、実施例４に係るフェースアップ用器具について説明する。実施例４についても、実施例１〜３の変更点のみについて説明することとする。
【００５１】
図１６、図１７(ａ)および図１７(ｂ)は、実施例４に係るフェースアップ用器具５０を示すものである。このフェースアップ用器具５０の櫛部５４は、後頭部付近に装着される円弧状フレーム５６と、該円弧状フレーム５６の略全体に亘って設けられる櫛歯２０とから構成される。すなわち、実施例４に係るフェースアップ用器具５０の櫛部５４は、実施例１〜３の如く、カチューシャ状に頭部に装着されるものではなく、中心角が約１２０°程度の円弧状に形成されて髪留めの如き形状をなしている。従って、櫛部５４を頭部に装着しても違和感がなく、髪留めの如く自然に頭部に固定されることとなる。
【００５２】
図１７(ｂ)に示すように、円弧状フレーム５６の上面側全体には、布等からなる飾り部６２が設けられ、櫛部５４の美観を向上するようになっている。そして、この飾り部６２の両端に弾性帯片５８,５８が一体的に形成されて、該弾性帯片５８,５８が櫛部５４の両端から延出するよう構成される。すなわち、この飾り部６２および弾性帯片５８,５８は、例えば、ゴムをバイヤス布等で包んだもので一体的に成形され、この飾り部６２を円弧状フレーム５６に取付けることで、両弾性帯片５８,５８が櫛部５４の両端から自由状態で延出するよう構成されている。
【００５３】
また、実施例４に係る弾性帯片５８は、その端部に取付部５８ａが形成されており、貼着片１６はこの取付部５８ａに着脱自在に取付けられるよう構成される。この取付部５８ａは、図１７(ｂ)に示すように、所要長さのゴム等からなり、弾性帯片５８よりも小幅に形成されている。そして、カギ状部２４が設けられた取付部５８ａの一端部を貼着片１６の両孔部２６ａ,２８ａに挿通し、このカギ状部２４を弾性帯片５８の裏面に設けたフック部２２に係合させることで、貼着片１６が弾性帯片５８に着脱自在に取付けられるよう構成される。
【００５４】
以上に示したように、実施例４に係るフェースアップ用器具５０は、櫛部５４を、後頭部に装着される円弧状フレーム５６と、該円弧状フレーム５６の略全体に亘って設けられる櫛歯２０とから構成したので、櫛部５４は髪留めの如く頭部に装着され、他人にフェースアップ用器具５０の使用を気付かれにくくなる。また、貼着片１６は取付部５８ａを介して弾性帯片５８に取付けられるので、使用者に合わせて貼着片１６の引っ張り強さを調節することが可能となる。
【図面の簡単な説明】
【００５５】
【図１】実施例１に係るフェースアップ用器具を示す正面図である。
【図２】実施例１の櫛部を拡大して示した平面図であって、(ａ)はゴムレースを取外した状態を示し、(ｂ)はゴムレースを取付けた状態を示す。
【図３】実施例１に係るフェースアップ用器具を拡げた状態を示す底面図であって、(ａ)は通常の状態を示し、(ｂ)は伸張状態を示している。
【図４】貼着片を示す図であって、(ａ)は正面図、(ｂ)は側面図である。
【図５】貼着片を弾性帯片に取付ける状態を示す側面図であって、(ａ)は貼着片の孔部に弾性帯片を挿通させた状態を示し、(ｂ)は弾性帯片の端部を櫛歯に係止させて貼着片を取付けた状態を示す。
【図６】実施例１に係るフェースアップ用器具を装着した状態を示す側面図である。
【図７】実施例２に係るフェースアップ用器具を示す正面図である。
【図８】実施例２に係るフェースアップ用器具の側面図である。
【図９】実施例２に係る弾性帯片を示す説明図である。
【図１０】実施例２に係る貼着片の取付構造を示す拡大図であって、(ａ)は弾性帯片を貼着片に挿通した状態を示し、(ｂ)は、貼着片を弾性帯片に取付けた状態を示す。
【図１１】図７のXI−XI線断面図である。
【図１２】実施例２に係るフェースアップ用器具を装着する手順を示した側面図であって、(ａ)は櫛部を頭部に装着した状態を示し、(ｂ)は貼着片を顔面に貼付けた状態を示す。
【図１３】実施例２に係るフェースアップ用器具を装着した状態を示す側面図である。
【図１４】実施例２の変更例に係るフェースアップ用器具を装着した状態を示す側面図である。
【図１５】実施例３に係るフェースアップ用器具を示す正面図である。
【図１６】実施例４に係るフェースアップ用器具を示す正面図である。
【図１７】実施例４に係るフェースアップ用器具の弾性帯片を拡げた状態で示す図であって、(ａ)は平面図、(ｂ)は底面図である。
【符号の説明】
【００５６】
１２ 櫛部(実施例２), １４ 弾性帯片(実施例２), １６ 貼着片
１８ 線状フレーム, ２０ 櫛歯, ２６ 基片, ２８ 両面テープ(粘着面)
３２ 人工毛, ４２ 櫛部(実施例３), ４４ 線状フレーム(実施例３)
４８ 櫛歯(実施例３), ５４ 櫛部(実施例４), ５６ 円弧状フレーム
５８ 弾性帯片(実施例４), ６２ 飾り部, ７２ 櫛部(実施例１)
７４ ゴムレース(弾性帯), ７４ａ 弾性帯片(実施例１)
７６ 櫛歯(実施例１), ７８ 基部
【図１】
2006314408.tif 000003
【図２】
2006314408.tif 000004
【図３】
2006314408.tif 000005
【図４】
2006314408.tif 000006
【図５】
2006314408.tif 000007
【図６】
2006314408.tif 000008
【図７】
2006314408.tif 000009
【図８】
2006314408.tif 000010
【図９】
2006314408.tif 000011
【図１０】
2006314408.tif 000012
【図１１】
2006314408.tif 000013
【図１２】
2006314408.tif 000014
【図１３】
2006314408.tif 000015
【図１４】
2006314408.tif 000016
【図１５】
2006314408.tif 000017
【図１６】
2006314408.tif 000018
【図１７】
2006314408.tif 000019